(57)【要約】【課題】着用時に体表面に所望の捻り力を与えることのできるサポーターを提供する。【解決手段】サポーター１００は、伸縮性を有する素材からなり、一方端と他方端とを有する筒状のサポーターである。一方端と他方端との領域に、サポーター１００の周方向に沿って設けられた、サポーター１００を身体に固定するための環状の固定部１１０、１２０と、固定部１１０、１２０に対し４０°〜６０°の角度で、一方端の固定部１１０から他方端の固定部１２０に向かって延びる、体表面に捻り力を与えるための緊締部１３０と、緊締部１３０に隣接して、固定部１１０、１２０に対し４０°〜６０°の角度で、一方端の固定部１１０から他方端の固定部１２０に向かって延びる、緊締部１３０よりも伸縮性が高い伸縮部１４０と、を備える。サポーター１００の周方向に捻りを加えて着用することで体表面への捻り力を増強させる。【選択図】図２
2019189973.tif 000002
【特許請求の範囲】
【請求項１】
伸縮性を有する素材からなり、一方端と他方端とを有する筒状のサポーターであって、
前記一方端と前記他方端との領域に、前記サポーターの周方向に沿って設けられた、前記サポーターを身体に固定するための環状の固定部と、
前記固定部に対し４０°〜６０°の角度で、前記一方端の固定部から前記他方端の固定部に向かって延びる、体表面に捻り力を与えるための緊締部と、
前記緊締部に隣接して、前記固定部に対し４０°〜６０°の角度で、前記一方端の固定部から前記他方端の固定部に向かって延びる、前記緊締部よりも伸縮性が高い伸縮部と、
を備え、前記サポーターの周方向に捻りを加えて着用することで体表面への捻り力を増強させるサポーター。
【請求項２】
前記一方端の固定部と前記他方端の固定部とに、目印が設けられている、
ことを特徴とする請求項１に記載のサポーター。
【請求項３】
前記緊締部の幅は、３ｃｍ〜５ｃｍである、
ことを特徴とする請求項１又は２に記載のサポーター。
【発明の詳細な説明】
【技術分野】
【０００１】
本発明は、サポーターに関する。
【背景技術】
【０００２】
手足の関節等の身体の一部を保護する機能を有するサポーターは、さまざまな種類のものが開発されている。
【０００３】
その中でも、テーピング技術を応用することで、運動効率を高めたり傷害を予防する機能を有するサポーターがいくつか提案されている。
【０００４】
特許文献１には、伸縮性を有する素材で構成された本体部と、該本体部に設けられ、本体部よりも伸縮性が低く、着用箇所における位置ずれを防ぐ固定部と、テーピング効果を生む第一緊締部と第２緊締部とを供えるサポーターが開示されている。該サポーターは、着用者の関節部を保護しながら、関節部に対しテーピング効果を有する。
【０００５】
また、特許文献２には、伸縮性を有する生地で作られ体表面に密着して着用され、着用する身体の長手方向に対して所定方向の螺旋形に形成された基準線である縫い目を備える被服が開示されている。該被服を着用し、縫い目を身体の着用部分の長手方向に対してほぼ平行になるように生地を捻ると、それにより生じる捻りと反対方向に生地が戻ろうとする力が体表面に働き、この捻り力が、体表面に作用してフォームを矯正し身体を保護する。
【先行技術文献】
【特許文献】
【０００６】
【特許文献１】特開２０１３−１１６２６５号公報
【特許文献２】特開２００６−５７２０７号公報
【発明の概要】
【発明が解決しようとする課題】
【０００７】
しかしながら、特許文献１のサポーターでは、テーピング効果によって捻りを加える位置及び捻りの方向が固定されているため、着用中にサポーターの着用位置がずれてしまった場合には、所望のテーピング効果を得ることが困難である点で課題を残していた。また、特許文献２の被服では、基準線である縫い目を直線になるよう捻り、一種類の生地の捻りで生じる力によって捻りを加えるため、捻りの程度が十分でない場合があることが問題であった。
【０００８】
本発明は、上記事情に鑑みてなされたものであり、着用時に体表面に所望の捻り力を与えることのできるサポーターを提供することを目的とする。
【課題を解決するための手段】
【０００９】
上記目的を達成するため、本発明の第１の観点に係るサポーターは、
伸縮性を有する素材からなり、一方端と他方端とを有する筒状のサポーターであって、
前記一方端と前記他方端との領域に、前記サポーターの周方向に沿って設けられた、前記サポーターを身体に固定するための環状の固定部と、
前記固定部に対し４０°〜６０°の角度で、前記一方端の固定部から前記他方端の固定部に向かって延びる、体表面に捻り力を与えるための緊締部と、
前記緊締部に隣接して、前記固定部に対し４０°〜６０°の角度で、前記一方端の固定部から前記他方端の固定部に向かって延びる、前記緊締部よりも伸縮性が高い伸縮部と、
を備え、前記サポーターの周方向に捻りを加えて着用することで体表面への捻り力を増強させる。
【００１０】
例えば、前記一方端の固定部と前記他方端の固定部とに、目印が設けられている。
【００１１】
例えば、前記緊締部の幅は、３ｃｍ〜５ｃｍである。
【発明の効果】
【００１２】
本発明によれば、着用時に体表面に所望の捻り力を与えることのできるサポーターを提供することができる。
【図面の簡単な説明】
【００１３】
【図１】（ａ）は、一実施形態によるサポーターを模式的に示す斜視図であり、（ｂ）は、一実施形態によるサポーターを折り畳んだ状態を模式的に表す図である。
【図２】（ａ）は、一実施形態によるサポーターを腕に着用した状態を表す模式図であり、（ｂ）は、一実施形態によるサポーターを周方向に捻りを加えて着用した状態を表す模式図である。
【発明を実施するための形態】
【００１４】
まず、本実施形態によるサポーターについて詳細に説明する。
【００１５】
図１（ａ）に示すように、本実施形態によるサポーター１００は、一方端１０２と他方端１０４とを有する筒状のサポーターであって、伸縮性を有する素材からなるものである。サポーター１００は、一方端１０２側の領域に設けられた一方端の固定部１１０と、他方端１０４側の領域に設けられた他方端の固定部１２０と、一方端の固定部１１０から他方端の固定部１２０に向かって延びる緊締部１３０と、緊締部１３０に隣接して、一方端の固定部１１０から他方端の固定部１２０に向かって延びる伸縮部１４０と、を備える。一方端の固定部１１０と他方端の固定部１２０とには、各々、目印１５０、１６０が設けられている。
【００１６】
本実施形態によるサポーター１００は、図２（ａ）に示すように、右腕の肘２０近傍に着用することで、体表面に捻り力が与えられ、右腕を内旋及び回内方向に捻る効果を有する。本実施形態では、サポーター１００の一方端１０２が手の側に、他方端１０４が肩の側となるように着用される。
【００１７】
本実施形態によるサポーター１００は、伸縮性を有する、ポリエステル、ナイロン及びポリウレタンの混紡素材からなり、丸編み製法で筒状に縫い目をつけないように縫製される。
【００１８】
一方端の固定部１１０は、環状に縫製されており、サポーター１００の一方端１０２の領域に、サポーター１００の周方向に沿って設けられている。また、他方端の固定部１２０も同様に環状に縫製されており、サポーター１００の他方端１０４の領域に、サポーター１００の周方向に沿って設けられている。一方端の固定部１１０及び他方端の固定部１２０は、サポーター１００を身体（本実施形態では腕）に固定する役割を果たす。本実施形態では、サポーター１００の一方端１０２が手の側に、他方端１０４が肩の側となるように着用されるため、一方端の固定部１１０の直径は、他方端の固定部１２０のそれよりも小さい。
【００１９】
緊締部１３０は、図１（ｂ）に示すように、一方端の固定部１１０に対し角度θ１で、一方端の固定部１１０から他方端の固定部１２０に向かって延びるようにサポーター１００に２本設けられている。緊締部１３０は、全体として螺旋形状を有するようにサポーター１００に設けられている。緊締部１３０は、一方端の固定部１１０に対し角度θ１の角度をなすように傾斜して設けられ、角度θ１は、所望の捻り力を与える観点から、４０°〜６０°である。２本の緊締部１３０が伸縮部１４０を挟んで互いに収縮し合う力が働くことで、体表面に捻り力を与える。本実施形態においては、体表面に捻り力を与えることで、右腕を内旋及び回内方向に捻る力が加わる。緊締部１３０の幅は、体表面を所望の程度圧迫し、所望の程度の捻り力を与える観点から、３ｃｍ〜５ｃｍが好ましい。本明細書において、緊締部１３０の幅は、図１（ｂ）において“Ｗ”で示される、緊締部１３０の短軸方向（緊締部１３０の両端の辺に垂直に交わる線上）の長さである。
【００２０】
伸縮部１４０は、図１（ｂ）に示すように、緊締部１３０に隣接して、一方端の固定部１１０に対し角度θ２で、一方端の固定部１１０から他方端の固定部１２０に向かって延びるようにサポーター１００に２本設けられている。伸縮部１４０は、緊締部１３０と同様に、全体として螺旋形状を有するようにサポーター１００に設けられている。伸縮部１４０は、一方端の固定部１１０に対し角度θ２の角度をなすように傾斜して設けられ、角度θ２は、角度θ１と同様に４０°〜６０°である。
【００２１】
緊締部１３０と伸縮部１４０とは、生地の伸縮性が異なり、伸縮部１４０の伸縮性は、緊締部１３０のそれよりも高い。本実施形態において、緊締部１３０と伸縮部１４０とでは同種の混紡素材が用いられているが、緊締部１３０と伸縮部１４０とで織り方を変えることで、両者の伸縮性に違いを出している。つまり、緊締部１３０では密に織ることで伸縮性が低くなっており、伸縮部１４０では縞状に疎に織ることで緊締部１３０よりも伸縮性が高くなっている。
【００２２】
本実施形態によるサポーター１００は、一方端の固定部１１０に目印１５０が設けられ、他方端の固定部１２０に同形の目印１６０が設けられている。目印１５０、１６０は、一方端の固定部１１０、他方端の固定部１２０に、円形状に織り込まれており、図１（ｂ）に示すように、サポーター１００を折り畳んだ状態で、目印１５０が一方端の固定部１１０の略中央の位置に設けられた場合、目印１６０も同様に他方端の固定部１２０の略中央の位置に設けられている。サポーター１００の周方向に捻りを加えて着用することで、体表面への捻り力を増強させることができるが、目印１５０、１６０は、後述するように、サポーター１００の周方向に捻りを加えて着用する際の捻り度合いの目印として用いることができる。
【００２３】
次に、本実施形態によるサポーター１００の使用方法について説明する。
【００２４】
図２（ａ）に示すように、サポーター１００を、一方端１０２が右手の側に、他方端１０４が右肩の側となるように、右の前腕１０から上腕３０の部位に嵌める。この際、肘２０がサポーター１００の略中央部近傍となるように、嵌める位置を調節する。また、目印１５０、１６０が腕に沿って一直線上となっていることを確認する。サポーター１００は、一方端の固定部１１０及び他方端の固定部１２０により前腕１０から上腕３０の部位に固定され、２本の緊締部１３０が伸縮部１４０を挟んで互いに収縮し合う力が働く。その結果、サポーター１００を着用しただけで体表面に捻り力が与えられ、右腕は内旋及び回内方向に捻られる。
【００２５】
サポーター１００を周方向（内旋及び回内方向）に捻りを加えて着用することで、体表面への捻り力をより増強させることができる。具体的には、図２（ｂ）に示すように、一方端の固定部１１０の目印１５０に対して、他方端の固定部１２０の目印１６０を内旋及び回内方向（図２（ｂ）において矢印Ｘの方向）にずらして嵌める。こうすることで、２本の緊締部１３０が伸縮部１４０を挟んで互いに収縮し合う力が強くなり、体表面への捻り力が増強され、右腕は内旋及び回内方向により強力に捻られる。このように、本実施形態によるサポーター１００は、着用しただけで体表面への捻り力が得られるが、目印１５０、１６０を利用して周方向に捻りを加えて着用することで、体表面への捻り力をより増強させることができる。
【００２６】
また、一方端の固定部１１０の目印１５０に対して、他方端の固定部１２０の目印１６０を内旋及び回内方向にずらす程度が大きいほど、２本の緊締部１３０が伸縮部１４０を挟んで互いに収縮し合う力が強くなり、より強力な捻り力が得られる。このため、サポーター１００の着用時に目印１５０に対して目印１６０をどの程度（内旋及び回内方向に）ずらして嵌めているかを把握することで、内旋及び回内方向の捻り力を調節することができる。このように、目印１５０、１６０を利用することで、所望の捻り力を得ることができる。
【００２７】
野球の投球を行う際には、腕を上から下に振り下ろすため、肘の内側の靱帯及び外側の骨に大きな物理的ストレスが加わるが、例えば、本実施形態によるサポーター１００を右腕に着用して投球を行うことで、内旋及び回内方向に捻り力が加わるため、肘への負担を軽減させることができる。
【００２８】
以上説明したように、本実施形態によるサポーター１００は、一方端の固定部１１０及び他方端の固定部１２０により前腕１０から上腕３０の部位に固定され、２本の緊締部１３０が伸縮部１４０を挟んで互いに収縮し合う力が働き、体表面に捻り力を与える。着用中にサポーター１００が周方向にずれた場合でも、緊締部１３０の作用により変わらずに所望の捻り力が加えられる。また、本実施形態によるサポーター１００は、着用しただけで体表面への捻り力が得られるが、周方向に捻りを加えて着用することで、体表面への捻り力をより増強させることができる。このように、本実施形態によるサポーター１００によれば、着用時に体表面に所望の捻り力が与えられる。
【００２９】
なお、この発明は上記実施の形態に限定されず、種々の変形及び応用が可能である。例えば、本実施形態においては、図２に示すように、腕に着用するサポーター１００の形態について説明したが、大腿部、肩、足首など身体の他の部位に着用されてもよい。
【００３０】
また、本実施形態においては、図１（ａ）に示すように、緊締部１３０及び伸縮部１４０が各々２本ずつ設けられた形態について説明したが、生地の伸縮性、捻り力の度合い、着用する部位等に鑑みて、緊締部１３０及び伸縮部１４０を各々３本以上としてもよい。
【００３１】
また、本実施形態においては、図２に示すように、右腕を内旋及び回内方向に捻るサポーター１００の形態について説明したが、左腕に着用することで、左腕を外旋及び回外方向に捻るサポーターとして使用することもできる。また、緊締部１３０及び伸縮部１４０の一方端の固定部１１０からの立ち上がりの方向を図１（ｂ）のそれとは左右逆にすることで、つまり、緊締部１３０及び伸縮部１４０の螺旋の巻き方を図１（ｂ）のそれとは反対にすることで、右腕を外旋及び回外方向に捻るサポーター又は左腕を内旋及び回内方向に捻るサポーターを得ることができる（この場合、図１（ｂ）において、θ１及びθ２は左右反転となる）。このように、着用する身体の部位及び捻り方向に応じた所望のサポーターを得ることができる。
【００３２】
また、本実施形態においては、図１、２に示すように、目印１５０、１６０を設けたサポーター１００の形態について説明したが、目印１５０、１６０を設けなくてもよく、周方向に捻りを加えて着用する場合に目印を利用しなくてもよい。
【００３３】
また、本実施形態においては、緊締部１３０と伸縮部１４０とで編み方が異なる同種の混紡素材を用いた形態について説明したが、緊締部１３０と伸縮部１４０とで生地の種類（素材の組成）が異なっていてもよい。
【００３４】
また、本実施形態においては、ポリエステル、ナイロン及びポリウレタンの混紡素材からなり、丸編み製法で縫製された生地を用いた形態について説明したが、サポーターに用いることができ伸縮性を有する繊維素材の生地であれば、特に制限されずに使用され得、また、丸編み製法以外の編み方を採用してもよい。
【符号の説明】
【００３５】
１０  前腕
２０  肘
３０  上腕
１００  サポーター
１０２  一方端
１０４  他方端
１１０  一方端の固定部
１２０  他方端の固定部
１３０  緊締部
１４０  伸縮部
１５０  一方端の目印
１６０  他方端の目印
【図１】
2019189973.tif 000003
【図２】
2019189973.tif 000004